(57)【要約】  光源の露光量を制御するためのシステム及び方法を開示する。前記システムは、ＬＥＤ光源（１）、光ホモジナイザー（２）、エネルギー検出ユニット（３１，３２）、及び前記ＬＥＤ光源及び前記エネルギー検出ユニットのいずれにも連結された露光量制御ユニット（４）を備える。前記エネルギー検出ユニットは、前記ＬＥＤ光源または前記光ホモジナイザーに対応するエネルギー検出器（３１）、及びウェハに対応するエネルギースポットセンサー（３２）を備える。既存の水銀ランプに代えて紫外線を発することができる前記ＬＥＤ光源を使用することによって、前記水銀ランプが破損した場合に環境中に有害な水銀蒸気を放出する危険性を排除しているため、前記システムは、より危険性が少なく、安全である。さらに、露光量制御ユニットの制御下において前記ＬＥＤ光源の露光照度を調節し前記ＬＥＤ光源を点灯／消灯することによって、可変減衰器または露光シャッターを使わずに、前記ウェハを高い露光量制御精度で露光することができる。これにより、システムの複雑さ及びコストが軽減され、信頼性が向上する。【選択図】図３
2019536111.tif 000002
【特許請求の範囲】
【請求項１】
ＬＥＤ光源と、光ホモジナイザーと、エネルギー検出ユニットと、前記ＬＥＤ光源及び前記エネルギー検出ユニットのいずれにも連結される露光量制御ユニットと、を備え、前記エネルギー検出ユニットが、前記ＬＥＤ光源または前記光ホモジナイザーに対応するエネルギー検出器と、ウェハに対応するエネルギースポットセンサーと、を備える、光源の露光量を制御するためのシステム。
【請求項２】
前記露光量制御ユニットが、互いに連結された、ＬＥＤ光源コントローラーと、露光量制御回路基板と、を備え、前記ＬＥＤ光源コントローラーが前記ＬＥＤ光源に連結されており、前記露光量制御回路基板が前記エネルギー検出器及びエネルギースポットセンサーのいずれにも連結されている、請求項１に記載の光源の露光量を制御するためのシステム。
【請求項３】
前記露光量制御回路基板が、様々な光強度におけるＬＥＤ光源のシャットダウンから完全な暗までの累積露光量に関するデータを記憶する、請求項２に記載の光源の露光量を制御するためのシステム。
【請求項４】
前記露光量制御回路基板が、前記ＬＥＤ光源の駆動電流と、結果として生じる光強度と、の間の関係を記憶する、請求項２に記載の光源の露光量を制御するためのシステム。
【請求項５】
前記ＬＥＤ光源が、ＬＥＤアレイであり、４６５ｎｍ、４３５ｎｍ、又は３６５ｎｍの波長を有する、請求項１に記載の光源の露光量を制御するためのシステム。
【請求項６】
前記光ホモジナイザーが、光均質化石英ロッドとして実装される、請求項１に記載の光源の露光量を制御するためのシステム。
【請求項７】
Ｓ１：露光量制御ユニットの制御下でＬＥＤ光源及びエネルギー検出器を同時に点灯し、前記エネルギー検出器が前記ＬＥＤ光源の照度を検出するステップ；
Ｓ２：前記露光量制御ユニットが、ウェハ上の実際の照度をサンプリングし、サンプルを積分することによって前記ウェハ上の累積露光量を算出するステップ；
Ｓ３：前記ＬＥＤ光源の前記照度が安定したら、前記ＬＥＤ光源の光強度に基づいてシャットダウンから完全な暗までの前記ＬＥＤ光源の累積露光量を取得するステップ；及び
Ｓ４：ステップＳ２で算出された前記ウェハ上の前記累積露光量が、プリセット露光量からステップＳ３において取得された前記ＬＥＤ光源のシャットダウンから完全な暗までの前記累積露光量を引いたものに等しくなると、前記露光量制御ユニットの制御下において前記ＬＥＤ光源をシャットダウンするするステップ；を備える、
請求項１〜６のいずれか一項に記載の光源の露光量を制御するためのシステムを用いた制御方法。
【請求項８】
さらに、
Ｓ５：前記ＬＥＤ光源が完全な暗になった後、露光量制御ユニットの制御下においてエネルギー検出器をオフにし、そして、前記ウェハ上の現在の累積露光量とプリセット露光量との間の露光量オフセットを算出する；及び
Ｓ６：前記露光量制御ユニットの制御下において前記露光量オフセットに基づいて前記ＬＥＤ光源の光量を調節する；を備える、
請求項７に記載の制御方法。
【請求項９】
ステップＳ１において、前記エネルギースポットセンサーを較正し、較正された前記エネルギースポットセンサーを用いて前記エネルギー検出器を較正する、請求項７に記載の制御方法。
【請求項１０】
ステップＳ２において、前記露光量制御ユニットが、下記式に示される実際の照度レベルをサンプリングし、
【数１】
2019536111.tif 000013
ＩＥＤが、前記エネルギー検出器の照度測定値を表し、ＩＥＳＳが前記エネルギースポットセンサーの照度測定値を表し、Ｇａｉｎ及びＯｆｆｓｅｔが、それぞれスケールファクター及び露光量オフセットを表し、Ｉｗａｆｅｒが、前記ウェハの照度測定値を表す、請求項９に記載の制御方法。
【請求項１１】
ステップＳ２において、前記ウェハ上の累積露光量Ｄｇｅｔが下記式に示すように算出され、
【数２】
2019536111.tif 000014
Ｉｗａｆｅｒが、前記ウェハ上で実際に測定された照度を表し、ｔが時間を表す、請求項１０に記載の制御方法。
【請求項１２】
ステップＳ５において、現在のプリセット露光量Ｄｓｅｔが下記式のように与えられ、
【数３】
2019536111.tif 000015
前記ＬＥＤ光源の完全な暗における累積露光量Ｄｇｅｔが下記式のように表され、
【数４】
2019536111.tif 000016
前記露光量オフセットＤが下記式で表され、
【数５】
2019536111.tif 000017
ｔｃｌоｓｅが、前記ＬＥＤ光源がシャットダウンされるタイミングを表し、Ｄｃｌｏｓｅが、ステップＳ３において取得された累積露光量を表し、Ｉｗａｆｅｒが、前記ウェハ上の実際に測定された照度を表し、｜・｜が、絶対値演算を表す、請求項１０に記載の制御方法。
【請求項１３】
ステップＳ３において、前記ＬＥＤ光源の照度が安定した後における光強度に対応する、前記ＬＥＤ光源のシャットダウンから完全な暗までの累積露光量が、前記露光量制御回路基板から取得される、請求項７に記載の制御方法。
【請求項１４】
ステップＳ６において、前記露光量制御回路基板が前記露光量オフセットに基づいてＬＥＤ光源制御部を制御することによって、前記ＬＥＤ光源制御部が、前記ＬＥＤ光源の駆動電流と結果として生じる光強度との関係に基づいて前記ＬＥＤ光源の光強度を制御する、請求項８に記載の制御方法。
【発明の詳細な説明】
【技術分野】
【０００１】
本発明は、フォトリソグラフィー、特に光源の露光量を制御するためのシステム及び方法に関する。
【背景技術】
【０００２】
フォトリソグラフィーは、半導体素子製造に使われる技術であり、光学系がレチクル上のパターンの像をウェハ表面にコーティングされたフォトレジスト上に正確に投影するために用いられ、フォトレジストを露光する。ウェハ上のレチクルパターン内の臨界寸法特徴点（critical-size features）を正確に再現するためには、露光量制御が必要である。
【０００３】
図１は、従来のステップアンドリピート方式のフォトリソグラフィー装置の露光システムを示し、光源として水神ランプが用いられている。光路全体の構成は、水銀ランプ１００、楕円反射鏡１０１、反射鏡１０２、組合レンズ群１０３、露光シャッター１０４、可変減衰器１０５、光ホモジナイザー１０６、エネルギー検出器１０７、中継レンズ群１０８、中継反射鏡１０９、投影対物レンズ１１０、及びエネルギースポットセンサー１１１を備える。楕円反射鏡１０１及び反射鏡１０２によって連続的に反射され、水銀ランプ１００からの光は、ランプ室の外に光錘を形成する。次いで、光錘は、組合レンズ群１０３によって光ホモジナイザー１０６に連結される。光ホモジナイザー１０６は、特定の仕様を有する石英ロッドであり、光が複数回反射される。次いで、光は、中継レンズ群１０８の対物面内に位置する端面において一様に石英ロッドを出る。その結果、中継レンズ群１０８の像面上に、ある程度のテレセントリック性及びある程度の開口数（ＮＡ）を有する一様な照明視野が形成される。
【０００４】
図２は、従来のステップアンドリピート方式のフォトリソグラフィー装置の露光システムにおける露光量制御システムを示し、それは、水銀ランプコントローラー１１２、露光シャッター１０４、可変減衰器１０５、エネルギー検出器１０７、エネルギースポットセンサー１１１、及び露光量制御回路基板２００を備える。しかしながら、そのような露光量制御システムの実際の使用から、以下の不備が確認されている：１）光源として水銀ランプの照度を制御することができないため、低量露光用途に必要とされる照度レベルとするために可変減衰器をさらに使用しなければならず、しかしながら、一方ではシステムの複雑さ及びコストが増大し、他方では可変減衰器が可動部品であるためシステムの信頼性が低下する；２）水銀ランプは、長時間の点灯及び加熱、及び頻繁な点灯／消灯の切り替えができない等、動作要件が厳しいため、さらに露光シャッターを使用しなければならず、しかしながら、一方ではシステムの複雑さ及びコストが増大し、他方では露光シャッターが頻繁に移動する必要があるためシステムの信頼性が低下する；３）水銀ランプは、高圧水銀蒸気で満たされているため潜在的な危険性があり、誤用により漏洩すると、現場の作業者及び環境に深刻な悪影響を及ぼす虞がある。
【発明の概要】
【０００５】
本発明は、光源の露光量を制御するための新規なシステム及び方法を提供することによって、従来のシステムに関する高複雑性、高コスト、低信頼性、及び低安全性の問題を解決するころを目的とする。
【０００６】
この目的を追求し、本発明の主題は、光源の露光量を制御するためのシステムであって、ＬＥＤ光源と、光ホモジナイザーと、エネルギー検出ユニットと、前記ＬＥＤ光源及び前記エネルギー検出ユニットのいずれにも連結される露光量制御ユニットと、を備え、前記エネルギー検出ユニットが、前記ＬＥＤ光源または前記光ホモジナイザーに対応するエネルギー検出器と、ウェハに対応するエネルギースポットセンサーと、を備える。
【０００７】
加えて、前記露光量制御ユニットが、互いに連結された、ＬＥＤ光源コントローラーと、露光量制御回路基板と、を備えていてもよく、前記ＬＥＤ光源コントローラーが前記ＬＥＤ光源に連結されており、前記露光量制御回路基板が前記エネルギー検出器及びエネルギースポットセンサーのいずれにも連結されている。
【０００８】
加えて、前記露光量制御回路基板が、様々な光強度におけるＬＥＤ光源のシャットダウンから完全な暗までの累積露光量に関するデータを記憶してもよい。
【０００９】
加えて、前記露光量制御回路基板が、前記ＬＥＤ光源の駆動電流と、結果として生じる光強度と、の間の関係を記憶してもよい。
【００１０】
加えて、前記ＬＥＤ光源が、ＬＥＤアレイであってもよく、４６５ｎｍ、４３５ｎｍ、又は３６５ｎｍの波長を有する。
【００１１】
加えて、前記光ホモジナイザーが、光均質化石英ロッドとして実装されてもよい。
【００１２】
本発明は、さらに、上記で定義された光源の露光量を制御するためのシステムを用いた制御方法を提供し、当該制御方法は、
Ｓ１：露光量制御ユニットの制御下でＬＥＤ光源及びエネルギー検出器を同時に点灯し、前記エネルギー検出器が前記ＬＥＤ光源の照度を検出するステップ；
Ｓ２：前記露光量制御ユニットが、ウェハ上の実際の照度をサンプリングし、サンプルを積分することによって前記ウェハ上の累積露光量を算出するステップ；
Ｓ３：前記ＬＥＤ光源の前記照度が安定したら、前記ＬＥＤ光源の光強度に基づいてシャットダウンから完全な暗までの前記ＬＥＤ光源の累積露光量を取得するステップ；及び
Ｓ４：ステップＳ２で算出された前記ウェハ上の前記累積露光量が、プリセット露光量からステップＳ３において取得された前記ＬＥＤ光源のシャットダウンから完全な暗までの前記累積露光量を引いたものに等しくなると、前記露光量制御ユニットの制御下において前記ＬＥＤ光源をシャットダウンするするステップ；を備える。
【００１３】
さらに、制御方法は、
Ｓ５：前記ＬＥＤ光源が完全な暗になった後、露光量制御ユニットの制御下においてエネルギー検出器を消灯し、そして、前記ウェハ上の現在の累積露光量とプリセット露光量との間の露光量オフセットを算出する；及び
Ｓ６：前記露光量制御ユニットの制御下において前記露光量オフセットに基づいて前記ＬＥＤ光源の光量を調節する；を備えていてもよい。
【００１４】
加えて、ステップＳ１において、前記エネルギースポットセンサーを較正し、較正された前記エネルギースポットセンサーを用いて前記エネルギー検出器を較正してもよい。
【００１５】
加えて、ステップＳ２において、前記露光量制御ユニットが、下記式に示される実際の照度レベルをサンプリングしてもよく、
【数１】
2019536111.tif 000003
ＩＥＤが、前記エネルギー検出器の照度測定値を表し、ＩＥＳＳが前記エネルギースポットセンサーの照度測定値を表し、Ｇａｉｎ及びＯｆｆｓｅｔが、それぞれスケールファクター及び露光量オフセットを表し、Ｉｗａｆｅｒが、前記ウェハの照度測定値を表す。
【００１６】
加えて、ステップＳ２において、前記ウェハ上の累積露光量Ｄｇｅｔが下記式に示すように算出されてもよく、
【数２】
2019536111.tif 000004
Ｉｗａｆｅｒが、前記ウェハ上で実際に測定された照度を表し、ｔが時間を表す。
【００１７】
加えて、ステップＳ５において、現在のプリセット露光量Ｄｓｅｔが下記式のように与えられてもよく、
【数３】
2019536111.tif 000005
前記ＬＥＤ光源の完全な暗における累積露光量Ｄｇｅｔが下記式のように表され、
【数４】
2019536111.tif 000006
前記露光量オフセットＤが下記式で表され、
【数５】
2019536111.tif 000007
ｔｃｌоｓｅが、前記ＬＥＤ光源がシャットダウンされるタイミングを表し、Ｄｃｌｏｓｅが、ステップＳ３において取得された累積露光量を表し、Ｉｗａｆｅｒが、前記ウェハ上の実際に測定された照度を表し、｜・｜が、絶対値演算を表す。
【００１８】
加えて、ステップＳ３において、前記ＬＥＤ光源の照度が安定した後における光強度に対応する、前記ＬＥＤ光源のシャットダウンから完全な暗までの累積露光量が、前記露光量制御回路基板から取得されてもよい。
【００１９】
加えて、ステップＳ６において、前記露光量制御回路基板が前記露光量オフセットに基づいてＬＥＤ光源制御部を制御することによって、前記ＬＥＤ光源制御部が、前記ＬＥＤ光源の駆動電流と結果として生じる光強度との関係に基づいて前記ＬＥＤ光源の光強度を制御してもよい。
【００２０】
要約すると、本発明は、光源の露光量を制御するためのシステム及び方法を提供する。前記システムは、ＬＥＤ光源、光ホモジナイザー、エネルギー検出ユニット、及び前記ＬＥＤ光源及び前記エネルギー検出ユニットのいずれにも連結される露光量制御ユニットを備える。前記エネルギー検出ユニットは、前記ＬＥＤ光源用または前記光ホモジナイザー用のエネルギー検出器と、ウェハ用のエネルギースポットセンサーと、を備える。既存の水銀ランプに代えて紫外線（ＵＶ）を発することができる前記ＬＥＤ光源を使用することによって、前記水銀ランプが破損した場合に環境中に有害な水銀蒸気を放出する危険性を排除しているため、前記システムは、より危険性が少なく、安全である。さらに、露光量制御ユニットの制御下において前記ＬＥＤ光源の露光照度を調節し前記ＬＥＤ光源を点灯／消灯することによって、可変減衰器または露光シャッターを使わずに、前記ウェハを高い露光量制御精度で露光することができる。これにより、システムの複雑さ及びコストが軽減され、信頼性が向上する。
【図面の簡単な説明】
【００２１】
【図１】図１は、従来のステップアンドリピート方式のフォトリソグラフィ装置における露光システムの模式構造図である。
【図２】図２は、従来のステップアンドリピート方式のフォトリソグラフィ装置の露光システムにおける露光量制御システムを示している。
【図３】図３は、本発明に係る光源の露光量を制御するためのシステムの模式構造図である。
【図４】図４は、本発明に係るＬＥＤ光源の活性化から完全な暗までの照度の変化を表す曲線を示す。
【符号の説明】
【００２２】
図１及び図２において、１００は水銀ランプ光源；１０１は楕円反射鏡；１０２は反射鏡；１０３は組合せレンズ群；１０４は露光シャッター；１０５は可変減衰器；１０６は光ホモジナイザー；１０７はエネルギー検出器；１０８は中継レンズ群；１０９は中継反射鏡；１１０は投影対物レンズ；１１１はエネルギースポットセンサー；１１２は水銀ランプ制御部；２００は露光量制御回路基板である。
図３及び図４において、１はＬＥＤ光源；２は光ホモジナイザー；３１はエネルギー検出器；３２はエネルギースポットセンサー；４は露光量制御ユニット；４１はＬＥＤ光源制御部；４２は露光量制御回路基板である。
【発明を実施するための形態】
【００２３】
以下、添付図面を参照して本発明を詳細に説明する。
図３に示すように、本発明は、光源の露光量を制御するためのシステムを提供し、当該システムは、発光ダイオード（ＬＥＤ）光源１、光ホモジナイザー２、エネルギー検出ユニット、及びＬＥＤ光源１及びエネルギー検出ユニットのいずれにも連結された露光量制御ユニット４を備える。エネルギー検出ユニットは、ＬＥＤ光源１用又は光ホモジナイザー２用のエネルギー検出器３１、及びウェハ用のエネルギースポットセンサー３２を備える。エネルギースポットセンサー３２は、スポットのエネルギーを感知するためのセンサーである。エネルギー検出器３１は、ＬＥＤ光源１の照度レベルを検出するように構成され、エネルギースポットセンサー３２は、それらの間の関係を確立するためにエネルギー検出器３１を較正するように構成される。露光量制御ユニット４は、ウェハ上の累積露光量を算出するように構成され、この累積露光量とプリセット露光量との差を、ＬＥＤ光源１の光強度の調節、又は点灯／消灯の切り替えのための露光量制御基準として使用してもよい。このようにして、ウェハは、可変減衰器又は露光シャッターを用いることなく可変減衰器または露光シャッターを使わずに、ウェハを高い露光量制御精度で露光することができ、システムの複雑さ及びコストが軽減され、その信頼性が向上する。
【００２４】
引き続き図３を参照すると、露光量制御ユニット４は、互いに連結された、ＬＥＤ光源制御部４１及び露光量制御回路基板４２を備えていてもよい。ＬＥＤ光源制御部４１は、ＬＥＤ光源１に連結されており、露光量制御回路基板４２はエネルギー検出器３１及びエネルギースポットセンサー３２のいずれにも連結されている。露光量制御回路基板４２は、所定の周波数でウェハ上の実際の照度をサンプリングし、サンプルを積分することによって累積露光量を算出するように構成されていてもよい。ここで、較正されたエネルギースポットセンサー３２の光強度測定値は、ウェハ上の実際の光強度を表すことに留意されたい。しかしながら、エネルギースポットセンサー３２が、ウェハステージ上に取り付けられており、当該ウェハに対して静止しているため、ウェハ上の各視野の光強度を正確に測定することはできない。したがって、露光量制御時には、エネルギースポットセンサー３２及びエネルギー検出器３１の較正関係に基づいて、エネルギー検出器３１の照度測定値をウェハ上の実際の照度レベルとしてエネルギースポットセンサー３２の照度測定値に変換する必要がある。
【００２５】
好ましくは、露光量制御回路基板４２は、様々な光強度におけるＬＥＤ光源１のシャットダウンから完全な暗までの累積露光量に関するデータを記憶する。ＬＥＤ光源１は、点灯されてから安定した光強度を生じるまで、及び、シャットダウンされてから完全に閉じるまで、のいずれも、典型的にはある程度の時間がかかる。シャットダウンから完全な暗までの間に、ウェハ上の光強度は変化し、露光量は累積するだろう。したがって、一実施形態では、様々な光強度におけるＬＥＤ光源１のシャットダウンから完全な暗までの累積露光量を予め測定し、測定結果をデータリストとして露光量制御回路基板４２に記憶してもよい。露光量制御時には、使用された露光量に対応する累積露光量を取得し、現在の累積露光量がプリセット露光量から取得された累積露光量を引いたものに等しくなると、露光量制御ユニット４は、ＬＥＤ光源をシャットダウンする動作を行う。露光量制御回路基板４２は、ＬＥＤ光源１と結果として生じる光強度との関係を記憶してもよい。露光量制御回路基板４２は、露光量オフセットに基づいてＬＥＤ光源制御部４１を制御し、後者が、ＬＥＤ光源１の駆動電流及びその結果の光強度の関係に基づいてＬＥＤ光源１の光強度を調節し、ウェハを高い露光量制御精度で露光させる。
【００２６】
好ましくは、ＬＥＤ光源１は、ＬＥＤアレイであり、４６５ｎｍ、４３５ｎｍ、又は３６５ｎｍの波長を有する。制御システムは、１以上のＬＥＤアレイを備えていてもよい。
好ましくは、光ホモジナイザー２は、光均質化石英ロッドとして実装される。
【００２７】
本発明は、また、上記で定義されたシステムを使用するための方法を提供する。当該方法は、下記のステップを備える。
Ｓ１では、ＬＥＤ光源１及びエネルギー検出器３１が露光量制御ユニット４の制御下で同時に点灯し、エネルギー検出器３１がＬＥＤ光源１の照度の検出を開始する。エネルギー検出器３１によってＬＥＤ光源１の照度を検出する前に、エネルギースポットセンサー３２は（簡単のためここでは詳細に説明しないが、任意の適切な従来方法を使用して）較正され、較正されたエネルギースポットセンサー３２は、エネルギー検出器３１及びエネルギースポットセンサー３２の関係を確立するように、次にエネルギー検出器３１を較正する。較正されたエネルギースポットセンサー３２の光強度測定値は、ウェハ上の実際の光強度を表す。しかしながら、エネルギースポットセンサー３２が、ウェハステージ上に取り付けられており、当該ウェハに対して静止しているため、ウェハ上の各視野の光強度を実際には測定することができない。エネルギースポットセンサー３２とエネルギー検出器３１との較正中に確立された関係に基づいて、エネルギー検出器３１の照度測定値をウェハ上の実際の照度レベルとしてエネルギースポットセンサー３２の照度測定値に変換する。一実施形態では、エネルギー検出器３１及びエネルギースポットセンサー３２は、同じタイプのセンサーであってもよく、光ホモジナイザー、中継レンズ群、中継反射鏡、及び投影対物レンズを備える光学系の同じセットを共有してもよい。したがって、どちらも一定の透過率に関連付けられている。
【数６】
2019536111.tif 000008
ここで、ＩＥＤはエネルギー検出器３１の照度測定値；ＩＥＳＳはエネルギースポットセンサー３２の照度測定値；Ｇａｉｎはスケールファクター；Ｏｆｆｓｅｔは露光量オフセットを表す。この式によれば、エネルギー検出器３１及びエネルギースポットセンサー３２の測定値は同時に得られ、Ｇａｉｎ及びＯｆｆｓｅｔはそれらに基づいて算出可能である。Ｉｗａｆｅｒは、実際に測定されたウェハ上の照度を表す。
【００２８】
Ｓ２において、露光量制御ユニット４は、ウェハ上の実際の照度をサンプリングし、サンプルを積分することによって累積露光量Ｄｇｅｔを下記のように算出する；
【数７】
2019536111.tif 000009
ここで、Ｉｗａｆｅｒは、実際に測定されたウェハ上の照度を表し、ｔは時間を表す。
【００２９】
Ｓ３において、ＬＥＤ光源１の照度が安定した時点で、ＬＥＤ光源１の現在の光強度に基づいて、ＬＥＤ光源１の暗時の累積露光量を取得する。具体的には、露光量制御回路基板４２は、様々な光強度におけるＬＥＤ光源１のシャットダウンから完全な暗までの累積露光量に関するデータを記憶していてもよい。ＬＥＤ光源１は、点灯されてから安定した光強度を生じるまで、及び、シャットダウンされてから完全に閉じるまで、のいずれも、典型的にはある程度の時間がかかる。シャットダウンから完全な暗までの間に、ウェハ上の光強度は変化し、露光量は累積するだろう。したがって、一実施形態では、様々な光強度におけるＬＥＤ光源１のシャットダウンから完全な暗までの累積露光量を予め測定し、測定結果をデータリストとして露光量制御回路基板４２に記憶してもよい。露光量制御時には、ＬＥＤ光源１の暗時の累積露光量は、安定した照度レベルに基づいてデータリストから取得される。
【００３０】
Ｓ４において、Ｓ２において算出されたウェハ上の累積露光量がプリセット露光量からＳ３において取得された累積露光量を引いたものに等しくなると、露光量制御ユニット４は、ＬＥＤ光源1をシャットダウンする動作を行う。図４は、以下のフェーズから成るプロセス全体にわたるＬＥＤ光源１の照度の変化を表す曲線を示す；活性化から光強度が安定するまでの時間（ａ）；光強度が安定している期間（ｂ）；シャットダウンから完全な暗まで（ｃ）。図から分かるように、シャットダウンから完全な暗までのフェーズでは、ウェハ上の光強度は変化し、露光量は累積する。ウェハ上の測定された累積露光量がプリセット露光量に等しいときにＬＥＤ光源１がシャットダウンされた場合、ウェハは確実に過剰露光になるだろう。正確な露光を守るために、ウェハ上の累積露光量がプリセット露光量からＳ３において取得された累積露光量を引いたものに等しくなったときにＬＥＤ光源１をシャットダウンする必要がある。
【００３１】
Ｓ５において、ＬＥＤ光源１の完全に暗くなった後、露光量制御ユニット４はエネルギー検出器３１を消灯するように動作し、ウェハ上の現在の累積露光量はプリセット以下のように与えられる露光量Ｄｓｅｔと比較される；
【数８】
2019536111.tif 000010
ＬＥＤ光源１が完全に暗になったときの累積露光量Ｄｇｅｔは、以下のように表される；
【数９】
2019536111.tif 000011
したがって、それらの間のオフセットは、以下のように表される。
【数１０】
2019536111.tif 000012
ここで、ｔｃｌоｓｅはＬＥＤ光源がシャットダウンした時間；ＤｃｌｏｓｅはＬＥＤ光源１の暗時の累積露光量；Ｉｗａｆｅｒは実際に測定されたウェハ上の露光量；｜・｜は絶対値演算を表す。
【００３２】
Ｓ６において、露光量制御ユニット４は、オフセットＤに基づいてＬＥＤ光源１の光強度を調節する。具体的には、露光量制御回路基板４２は、ＬＥＤ光源１の駆動電流と結果として生じる光強度との関係を、タイムスキームに従って自動的に更新されるデータリストとして記憶してもよい。露光量制御回路基板４２は、露光量オフセットＤに基づいて、ＬＥＤ光源１の駆動電流と結果として生じる光強度との関係によって、ＬＥＤ光源１の光強度を調節するように、ＬＥＤ光源制御部４１に指示する。
【００３３】
要約すると、本発明は、光源の露光量を制御するためのシステム及び方法を提出する。当該システムは、ＬＥＤ光源１、光ホモジナイザー２、エネルギー検出ユニット、及びＬＥＤ光源１及び前記エネルギー検出ユニットのいずれにも連結される露光量制御ユニット４を備える。エネルギー検出ユニットは、ＬＥＤ光源１用または光ホモジナイザー２用のエネルギー検出器３１と、ウェハ用のエネルギースポットセンサー３２と、を備える。既存の水銀ランプに代えて紫外線（ＵＶ）を発することができるＬＥＤ光源１を使用することによって、水銀ランプが破損した場合に環境中に有害な水銀蒸気を放出する危険性を排除しているため、当該システムは、より危険性が少なく、安全である。さらに、露光量制御ユニット４の制御下においてＬＥＤ光源１の露光照度を調節し、ＬＥＤ光源１を点灯／消灯することによって、可変減衰器または露光シャッターを使わずに、ウェハを高い露光量制御精度で露光することができる。これにより、システムの複雑さ及びコストが軽減され、信頼性が向上する。
【００３４】
本発明のいくつかの実施形態をここに記載したが、これらの実施形態は単なる例示であり、本発明の範囲を限定するものとして解釈されることを意図するものではない。本発明の精神から逸脱することなくなされる様々な省略、置換および変更は、全て本発明の範囲内に含まれることが意図されている。
【図１】
2019536111.tif 000018
【図２】
2019536111.tif 000019
【図３】
2019536111.tif 000020
【図４】
2019536111.tif 000021
【国際調査報告】
2019536111.tif 000022
2019536111.tif 000023
2019536111.tif 000024
2019536111.tif 000025